(57)【要約】【課題】  装飾人形を取り付けたボトルキャップ本体を、ボトルの蓋に装着して使用するときに、ＩＣ音源から音楽が流れるようにする。【解決手段】  開口部４４をボトルＢの蓋Ｃに着脱自在に被せる被着部２０を有すると共に、被着部２０の天面３１には装飾人形Ｄを取り付けたボトルキャップ本体１０であって、ボトルキャップ本体１０に穿たれた複数の小孔３２と、小孔３２に対向するボトルキャップ本体１０内部に設けられたスピーカー５２、スピーカー５２を駆動すると共に音楽データを半導体メモリに記憶した音声発生制御部５３、および音声発生制御部５３にトリガ信号を出力するスイッチ５４，５６を有する音声発生手段５０とを具備する。【選択図】図１
0003101920.tif 000002
【実用新案登録請求の範囲】
【請求項１】
開口部をボトルの蓋に着脱自在に被せる被着部を有すると共に、上記被着部の天面には装飾人形を取り付けたボトルキャップ本体であって、上記ボトルキャップ本体に穿たれた複数の小孔と、上記小孔に対向する上記ボトルキャップ本体内部に設けられたスピーカー、上記スピーカーを駆動すると共に音楽データを半導体メモリに記憶した音声発生制御部、および上記音声発生制御部にトリガ信号を出力するスイッチを有する音声発生手段とを具備したことを特徴とする音声発生ボトルキャップ。
【請求項２】
上記複数の小孔は、上記ボトルキャップ本体の天面に設けられたことを特徴とする請求項１記載の音声発生ボトルキャップ。
【請求項３】
上記スイッチは、上記ボトルキャップ本体の被着部の内部空間に突き出るように設けられ、上記ボトルの蓋と接触することにより、上記音声発生制御部が駆動するようにしたことを特徴とする請求項１または２記載の音声発生ボトルキャップ。
【請求項４】
上記スイッチは、棒形状を有すると共に、上記蓋との接触に応じて進退移動するように形成され、上記ボトルの蓋と接触して押圧されることにより、上記音声発生制御部が駆動するようにしたことを特徴とする請求項１乃至３のいずれか一項に記載の音声発生ボトルキャップ。
【請求項５】
上記ボトルキャップ本体の被着部に、上記ボトルの蓋の天面に係合することにより、上記ボトルキャップ本体が上記蓋に挿入される深さを規定するストッパ部を形成する一方で、上記スイッチは、上記蓋に接触しない状態では、上記ストッパ部より上記被着部の上記開口部方向に出っ張るが、上記蓋が上記ストッパ部に接触する状態では、上記被着部の上記天面方向に後退移動するようにしたことを特徴とする請求項４記載の音声発生ボトルキャップ。
【請求項６】
上記ストッパ部には、上記スイッチを貫通させると共に、上記スイッチの進退移動を許容する案内孔を設けたことを特徴とする請求項５記載の音声発生ボトルキャップ。
【請求項７】
上記ボトルキャップ本体の被着部を、上記ストッパ部近傍において、上記ストッパ部を含まない上記天面側の主被着部の部分と、上記ストッパ部を含む上記開口部側の副被着部の部分とに分割し、上記副被着部を上記主被着部に対して着脱自在に取り付けられるように形成したことを特徴とする請求項５または６記載の音声発生ボトルキャップ。
【請求項８】
上記装飾人形は、歌手の歌唱姿態を似せた形状に形成される一方、上記音楽データは、上記歌手が歌唱するメロディーであることを特徴とする請求項１乃至７のいずれか一項に記載の音声発生ボトルキャップ。
【考案の詳細な説明】
【技術分野】
【０００１】
本考案は、人形飾りの付いたボトルキャップを、例えば、ペットボトル等のボトルの蓋に被せることで、音楽等の音声が発声するようにした音声発生ボトルキャップに関するものである。
【背景技術】
【０００２】
従来、人形、人形型アクセサリー等に音声ＩＣ等でなる音声発生制御部からスピーカーを通してメロディー等の音声を発声するようにした技術として、例えば、特開平１１−１９７３６７号、実開平６−７７７９７号、実開平５−１８５８８号公報が公知である。すなわち、特開平１１−１９７３６７号公報のものは、自動車のキーホルダーや、車室内に取り付けるアクセサリーに関し、タレント等有名人をモデルとした人形を形成し、その内部に設けた音声発生装置から有名人がよく使うフレーズを発声させることで、視覚的に楽しむだけでなく、聴覚的な面からも楽しめるようにしたものである。また、上記実開平６−７７７９７号公報のものは、人形に設けたポケットに、着衣の上からでも違和感のないように音声機能部品を内蔵することで、脱落するのを防止した構造のものである。さらに、上記実開平５−１８５８８号公報のものは、人形胴体の中空部にスピーカー等を内蔵した構成により、胴体部で共鳴させることで、品質に優れた音声が発声するようにしたものである。
【０００３】
【特許文献１】特開平１１−１９７３６７号公報
【特許文献２】実開平６−７７７９７号公報
【特許文献３】実開平５−１８５８８号公報
【考案の開示】
【考案が解決しようとする課題】
【０００４】
しかしながら、上記各公報記載の技術は、いずれも人形の体内に音声発生装置やスピーカーを内蔵する形態のものであり、ペットボトル等のボトルの蓋（栓）に、フィギュア等の人形を飾り付けたボトルキャップを被着することで、ボトルキャップ内部に設けた音声発生制御部（ＩＣ音源）からスピーカーを通じて音声を発声させ、ボトルを扱う使用者の視覚的および聴覚的効果を心地よいものとするボトルキャップは存在しない、という問題があった。本考案は、このような問題点を解決するために、ボトルキャップにフィギュア（人形）を取り付けると共に、ボトルの蓋に被着したときに、フィギュアを支える土台部たるボトルキャップ本体内部に設けた音声発生制御部によりスピーカーを通じて外部に音声が発声されるようにしたボトルキャップを提供しようとするのが、本考案の目的（課題）である。
【課題を解決するための手段】
【０００５】
上記課題を解決するために、本考案においては次のような手段を講ずることとした。すなわち、請求項１記載の考案は、音声発生ボトルキャップに係り、開口部をボトルの蓋に着脱自在に被せる被着部を有すると共に、上記被着部の天面には装飾人形を取り付けたボトルキャップ本体であって、上記ボトルキャップ本体に穿たれた複数の小孔と、上記小孔に対向する上記ボトルキャップ本体内部に設けられたスピーカー、上記スピーカーを駆動すると共に音楽データを半導体メモリに記憶した音声発生制御部、および上記音声発生制御部にトリガ信号を出力するスイッチを有する音声発生手段とを具備したことを特徴とする。
【０００６】
この請求項１記載の考案では、ボトルキャップ本体は、その被着部における開口部を、ボトルの蓋（栓、キャップ）に抜き差して被着することで、蓋に被せることができ、蓋に差し込んだ場合には、例えば、音声発生手段における音声発生制御部を駆動するスイッチが蓋に接触することによって、あるいは、ボトルキャップ本体や人形等の自重によりスイッチが作動するようにしたり、さらには、スイッチを手動で操作できるようにする等して、トリガー信号（駆動信号）を惹起させ、これにより音声発生制御部が駆動され、半導体メモリに格納されている適宜の音楽データがスピーカーに出力される。スピーカーからは音楽データに基づく音声が、複数の小孔から外部に発声されていく。このとき、被着部内部に存在する空間が共鳴箱として作用し、音質のよい音声がスピーカーから出力される。また、被着部の天面には、装飾人形が取り付けられているので、その装飾人形を、有名なタレントや歌手が話したり、踊ったり、歌唱するときの姿態となる形態に形成する一方で、これら姿態に応じた適宜の音声（話、メロディー等）がスピーカーから発声するようにすることにより、装飾人形の視覚的な面だけでなく、聴覚的な面からも楽しめ、和むことができる嗜好品として有益となる。
【０００７】
また、請求項２記載の考案は、請求項１記載の音声発生ボトルキャップに係り、上記複数の小孔は、上記ボトルキャップ本体の天面に設けられたことを特徴とする。
【０００８】
この請求項２記載の考案では、ボトルキャップ本体天面の複数の小孔から、スピーカーから発声されるメロディー等の音声が外部に発するため、スピーカーの音声がボトルキャップ本体内にこもるようなことがなく、きれいな音声となって周囲に放散できるようになる。
【０００９】
また、請求項３記載の考案は、請求項１または２記載の音声発生ボトルキャップに係り、上記スイッチは、上記ボトルキャップ本体の被着部の内部空間に突き出るように設けられ、上記ボトルの蓋と接触することにより、上記音声発生制御部が駆動するようにしたことを特徴とする。
【００１０】
この請求項３記載の考案では、ボトルキャップ本体被着部の内部空間に、スイッチが突き出るように設けられているため、被着部の開口部をボトルの蓋に上方から被せていくときに、スイッチが蓋の天面に接触したりして当たることで、音声発生制御部にトリガ信号を発生させることとなり、スピーカーから音声が発声するようになる。
【００１１】
また、請求項４記載の考案は、請求項１乃至３のいずれか一項に記載の音声発生ボトルキャップに係り、上記スイッチは、棒形状を有すると共に、上記蓋との接触に応じて進退移動するように形成され、上記ボトルの蓋と接触して押圧されることにより、上記音声発生制御部が駆動するようにしたことを特徴とする。
【００１２】
この請求項４記載の考案では、スイッチは、ボトルキャップ本体の被着部における内部空間を突き出るように形成した棒状のスイッチであって、被着部の開口部側に偏倚した位置にあるときは、スイッチが閉成（ＯＮ）せず、ボトルの蓋に接触して押圧されて後退するときに、スイッチが開成（ＯＦＦ）するように進退移動する。これにより、音声発生制御部を確実にＯＮ，ＯＦＦ制御することが可能になる。
【００１３】
また、請求項５記載の考案は、請求項４記載の音声発生ボトルキャップに係り、上記ボトルキャップ本体の被着部に、上記ボトルの蓋の天面に係合することにより、上記ボトルキャップ本体が上記蓋に挿入される深さを規定するストッパ部を形成する一方で、上記スイッチは、上記蓋に接触しない状態では、上記ストッパ部より上記被着部の上記開口部方向に出っ張るが、上記蓋が上記ストッパ部に接触する状態では、上記被着部の上記天面方向に後退移動するようにしたことを特徴とする。
【００１４】
この請求項５記載の考案では、被着部をボトルの蓋に挿入する場合に、被着部に形成したストッパ部に当たる深さまで挿入することで、スイッチが蓋に激しく接触することを回避でき、スイッチの損傷、ひいては音声発生制御部にダメージを与えることを未然に防止できるようになる。そして、ストッパ部が蓋の天面に係合することにより、スイッチが、被着部の天面方向（挿入方向とは反対の方向）に後退移動し、音声発生制御部を駆動するようになり、確実な作動を実現できる。
【００１５】
また、請求項６記載の考案は、請求項５記載の音声発生ボトルキャップに係り、上記ストッパ部には、上記スイッチを貫通させると共に、上記スイッチの進退移動を許容する案内孔を設けたことを特徴とする。
【００１６】
この請求項６記載の考案では、スイッチは、ストッパ部に設けた案内孔に貫通されているので、案内孔に支持されながらガイドされて進退移動することができる。このため、スイッチのストッパ部に対する支持安定性が向上し、スイッチが損傷したりすることがなく、音声発生制御部の駆動を安定したものにすることができるようになる。
【００１７】
また、請求項７記載の考案は、請求項５または６記載の音声発生ボトルキャップに係り、上記ボトルキャップ本体の被着部を、上記ストッパ部近傍において、上記ストッパ部を含まない上記天面側の主被着部の部分と、上記ストッパ部を含む上記開口部側の副被着部の部分とに分割し、上記副被着部を上記主被着部に対して着脱自在に取り付けられるように形成したことを特徴とする。
【００１８】
この請求項７記載の考案では、被着部を主被着部と副被着部とに分割して、副被着部を主被着部に対して着脱自在に取り付けるようにしているため、ボトルの蓋の外径が異なっても、それに対応した内径を有する副被着部を準備して主被着部に取り付けることができ、結果としてコスト安価な音声発生ボトルキャップを得ることができるようになる。
【００１９】
また、請求項８記載の考案は、請求項１乃至７のいずれか一項に記載の音声発生ボトルキャップに係り、上記装飾人形は、歌手の歌唱姿態を似せた形状に形成される一方、上記音楽データは、上記歌手が歌唱するメロディーであることを特徴とする。
【００２０】
この請求項８記載の考案では、被着部の天面に取り付けられる装飾人形を、歌手の歌唱姿態に似せた形態であり、スピーカーから発声される音楽メロディーは、その歌手が歌唱するメロディーであるので、人形を見たり、眺めたりすることによる視覚だけでなく、スピーカーから奏でられるメロディーを聴くことによる聴覚をも満足することなり、これにより、ボトル内の飲料水、酒類等商品を愛飲する消費者の嗜好を高めるばかりか、これら商品の販売促進効果を増大せしめるようになる。
【考案の効果】
【００２１】
請求項１記載の考案によれば、音声発生手段のスピーカーから発声した音楽データに基づく音声（言葉、音楽メロディー等）が、複数の小孔から外部に発声されていくとき、被着部内部に存在する空間が共鳴箱として作用するので、音質のよい音声がスピーカーから出力され、また、被着部の天面には、取り付けられた装飾人形に見合った音声が取り付けられているので、装飾人形の視覚的な面だけでなく、聴覚的な面からも楽しめ、さらには、飲料水や酒類等商品の宣伝拡販用グッズとして使用することで有利となる効果を奏する。
【００２２】
請求項２記載の考案によれば、ボトルキャップ本体天面の複数の小孔から、スピーカーから発声されるメロディー等の音声が外部に発するため、スピーカーの音声がボトルキャップ本体内にこもるようなことがなく、きれいな音声となって周囲に放散できる効果を奏する。
【００２３】
請求項３記載の考案によれば、ボトルキャップ本体被着部の内部空間に、スイッチが突き出るように設けられているため、被着部の開口部をボトルの蓋に上方から被せていくときに、スイッチが蓋の天面に接触したりして当たるようにすることで、音声発生制御部にトリガ信号を発生させることとなり、そのため、スピーカーから音声が発声し、音声発生制御部を安定して駆動できる効果を奏する。
【００２４】
請求項４記載の考案によれば、ボトルキャップ本体の被着部における内部空間を突き出るように棒状の形状を有するので、この棒状のスイッチが被着部の開口部側に偏倚した位置にあるときは、スイッチが閉成（ＯＮ）せず、ボトルの蓋に接触して押圧されて後退するときに、スイッチが開成（ＯＦＦ）する。これにより、音声発生制御部を確実にＯＮ，ＯＦＦ制御できる効果を奏する。
【００２５】
請求項５記載の考案によれば、被着部をボトルの蓋に挿入する場合に、被着部に形成したストッパ部に当たる深さまで挿入することで、スイッチが蓋に激しく接触することを回避でき、スイッチの損傷、ひいては音声発生制御部にダメージを与えることを未然に防止できるようになる。そして、ストッパ部が蓋の天面に係合することにより、スイッチが、被着部の天面方向（挿入方向とは反対の方向）に後退移動し、音声発生制御部を駆動するようになり、確実な作動を実現できる効果を奏する。
【００２６】
請求項６記載の考案によれば、スイッチは、ストッパ部に設けた案内孔に貫通されているので、案内孔に支持されながらガイドされて進退移動することができる。このため、スイッチのストッパ部に対する支持安定性が向上し、音声発生制御部の駆動を安定したものにすることができる効果を奏する。
【００２７】
請求項７記載の考案によれば、被着部を主被着部と副被着部とに分割して、副被着部を主被着部に対して着脱自在に取り付けるようにしているため、ボトルの蓋の外径が異なっても、それに対応した内径を有する副被着部を準備して主被着部に取り付けることができ、コスト安価な音声発生ボトルキャップを得ることができる効果を奏する。
【００２８】
請求項８記載の考案によれば、被着部の天面に取り付けられる装飾人形を、歌手の歌唱姿態に似せた形態であり、スピーカーから発声される音楽メロディーは、その歌手が歌唱するメロディーであるので、人形を見たり、眺めたりすることによる視覚だけでなく、スピーカーから奏でられるメロディーを聴くことによる聴覚をも満足することなり、これにより、ボトル内の飲料水、酒類等商品を愛飲する消費者の嗜好を高めるばかりか、これら商品の販売促進効果を増大せしめる効果を奏する。
【考案を実施するための最良の形態】
【００２９】
本考案の音声発生ボトルキャップに係る実施の形態を、図１〜図６に基づいて詳述する。図１は音声発生ボトルキャップの外観斜視図である。音声発生ボトルキャップのボトルキャップ本体１０は、主として主被着部３０と副被着部４０とで上下二段に組み込まれて形成される被着部２０、および主被着部３０の天面３１に一体に取り付けられる装飾人形Ｄで構成されている。これら被着部２０，装飾人形Ｄ等は、好ましくは合成樹脂材で形成される。
【００３０】
ボトルキャップ本体１０の一構成要素である主被着部３０は、副被着部４０の外形形状（円形状）と同じ外形形状を有し、その天面３１には複数個の小孔３２が穿たれると共に、例えば、或るペアの流行歌手がマイクを把持して踊りながら歌を歌唱する姿態を模した装飾人形（フィギュア）が接着剤等の適宜の執着手段により取り付けられている。また、これら小孔３２の内側には後述する音声発生手段５０が格納されている。主被着部３０におけるスカート部には、空洞部（内部空間）３５が形成され、この空洞部３５の外周に、後述する副被着部４０の係合部に着脱可能なように係脱する爪状の被係合部３６が略１２０度間隔に形成される。
【００３１】
副被着部４０は、キャップ形状に形成され、図３に示すように、ボトルＢの蓋（キャップ）Ｃに被着される内径寸法を有し（図６参照）、その開口部４４からボトルＢの蓋Ｃに着脱自在に被せることができるようになっている。なお、上記副被着部４０の内径寸法とボトルＢの蓋Ｃ外形寸法との関係は、副被着部４０を、蓋Ｃに圧入、あるいは嵌合できるような寸法関係を有していればよい。他方、副被着部４０の天面４１の略中心部位には、後述する音声発生手段５０の一構成要素である棒状のスイッチを貫通して摺動自在に支持する案内孔４２が設けられている。また、副被着部４０の天面４１に、上記した主被着部３０の被係合部３６に係合する係合部４３が略１２０度間隔で設けられる。主被着部３０と副被着部４０との係合は、両者３０，４０を相対的に回転させ、係合部３６を被係合部４３に係合することにより、上記両者が合体する（図４参照）。
【００３２】
次に、主被着部３０に格納される音声発生手段５０を、図５に基づいて説明する。すなわち、音声発生手段５０は、回路基板５１（図２参照）に設置されたスピーカー５２、ＩＣ（集積回路）でなる音声発生制御部５３、スイッチ機構の一構成要素である固定接点５４、ボタン電池５５、およびコンデンサ５８よりなる。スピーカー５２は、主被着部３０の天面に形成した小孔３２に対向する位置に存するようになっている。なお、図示はしないが、主被着部３０に、隙間３４と空洞部３５とを連通する通路を形成し、隙間３４および空洞部３５が共鳴機能を有するように形成することもできる。
【００３３】
音声発生制御部５３は、例えば、音源ＩＣとして形成され、その半導体メモリには、音、声、音楽メロディー等（以下「音楽データ」という）が記憶されており、例えば、音楽データとして、装飾人形Ｄが歌手の歌唱姿態を模した場合には、その歌手が歌唱するメロディーが奏でられるデータにしている。
【００３４】
スイッチ機構は、例えば、常開型スイッチをなし、主被着部３０を進退移動（上下移動）可能に形成された棒形状の可動スイッチ５６と、上記固定接点５４とで形成され、可動スイッチ５６を常時ばね部材５７により下方向に突き出るように付勢し、固定接点５４から離間するようにしている。ばね部材５７としては、例えば、可動スイッチ５６上端に取り付けた導電性ゴムの弾性を利用した態様のもの、あるいはコイルばね、あるいは板ばね等を使用したものでよい。
【００３５】
また、可動スイッチ５６は、主被着部３０を副被着部４０に合体した状態においては、その先端が若干量だけ副被着部４０の天面４１下面から突き出るように設定され、ボトルＢの蓋Ｃに接触して上方に突き上げられることで、可動スイッチ５６が、固定接点５４に電気接続してトリガ信号を出力し、音声発生制御部５３を駆動し、音声をスピーカー５２に出力制御することができるようになっている。
【００３６】
かくして、主被着部３０と副被着部４０とが合体して組み合わされた状態では、図４に示すごとく、両被着部３０，４０の間に形成される空洞部３５あるいは隙間３４が共鳴機能を有するようになる。また、副被着部４０の天面４１は、開口部４４から挿入されてくるボトルＢの蓋Ｃの挿入深さを規定するストッパ部としても機能する。蓋Ｃに接触しない状態では、可動スイッチ５６下端は、天面４１、つまりストッパ部から開口部４４の方向に出っ張るが、蓋Ｃが天面４１下面に突き当たって接触することで、ばね部材５７のばね反力に抗して上方に後退移動するようになっている。  
【００３７】
本実施の形態の作用を説明する。図２に示されるように、主被着部３０側の下方に出っ張る可動スイッチ５６を、副被着部４０の案内孔４２に位置合わせして通し、装飾人形Ｄを取り付けた主被着部３０の被係合部３６を、副被着部４０の係合部４３に位置合わせして噛み合わせ、回すことで係合する。こうして、図１，図４に示すように、主被着部３０と副被着部４０とが一体に合体されて音声発生ボトルキャップの上下二段構造のボトルキャップ本体１０（音声発生ボトルキャップでもある）が形成される。
【００３８】
図４に示す合体構造にされたボトルキャップ本体１０を、副被着部４０の開口端部４４から、図６に示すように、ボトルＢの蓋Ｃに被せると、可動スイッチ５６が上方へ後退移動するに応じて天面４１に接触し始め、ついには、音声発生手段５０の固定接点５４と導通してトリガ信号が音声発生制御部５３に入力される。これにより、音声発生制御部５３から音声信号がスピーカー５２に出力され、スピーカー５２から発声されたメロディーは、主被着部３０の天面３１から外部へ発声されて奏でられる。
ボトルキャップ本体１０を蓋Ｃから取り外したり、あるいは、可動スイッチ５６先端が、副被着部４０の天面４１から離間する位置まで上方に浮き上がらせることで、スピーカー５２からのメロディー発声は止む。
【００３９】
本実施の形態によれば、主被着部３０に副被着部４０が合体されたボトルキャップ本体１０を蓋Ｃに被せて挿入するときに、副被着部４０の天面４１が蓋Ｃの天面に当接することでストッパとして機能するため、可動スイッチ５６の後退移動量、すなわち、ボトルキャップ本体１０の挿入深さを規定することができ、音声発生手段５０のスイッチ機構を損傷することを未然に回避することができる。また、スピーカー５２から発声されるメロディーは、隙間３４や空洞部３５等の存在により共鳴箱として機能するので、音質に優れたものとなり、装飾人形Ｄの視覚による心地よさだけでなく、聴覚的にも心地よい音質のメロディーを聴くことができ、ひいては、この音声発生ボトルキャップを販売促進用のグッズとして活用することで、ボトルＢ内の飲料水や酒類等の商品の販売効果に有効となる効果を有する。また、副被着部４０は、主被着部３０に対して着脱自在に形成されているので、ボトルＢの蓋Ｃ外形寸法の大小に応じた内径寸法を有する副被着部を準備製作しておくことで、副被着部４０を変えるだけで主被着部３０に容易に合体でき、コスト安価な音声発生ボトルキャップを得ることができる効果もある。
【００４０】
以上、本考案の実施の形態を図面より詳述してきたが、具体的な構成はこの実施の形態に限られるものではなく、本考案の要旨を逸脱しない範囲の設計変形等があっても本考案に含まれる。
例えば、上記実施の形態においては、副被着部４０を蓋Ｃに圧入するなどして被せるようにした場合であったが、副被着部４０の内径と蓋Ｃ外径との間に遊びがある程度存していて、抵抗なく容易に蓋Ｃに被せることができるような寸法関係に設定することも可能である。こうした場合には、スイッチ機構としては、被着部２０を蓋Ｃに被せたときに、音声発生ボトルキャップの自重により可動スイッチ５６等のスイッチが蓋に接触して押圧され、トリガ信号が発生するような態様のスイッチ機構に形成することもできる。
【００４１】
また、可動スイッチ５６は、副被着部４０の天面４１に接触するか、しないかにより固定接点５４とＯＮ，ＯＦＦするようにしたが、この代わりに、図７（ａ）に示すように、主被着部３０の天面３１に、その一部が外部に突出する手動操作可能なスイッチＳ１を設けたり、あるいは図７（ｂ）のように、主被着部３０の外周面に手動操作できるスイッチＳ２を設けたりする変形例の構成にしてもよい。この場合には、これらスイッチＳ１，Ｓ２の手動操作により音声発生手段５０を駆動できるので、音声発生ボトルキャップを蓋Ｃに被せた状態にしておき、メロディーを発声させたいときだけスイッチＳ１，Ｓ２を操作して発声させることができる。
【００４２】
また、音声発生手段５０にタイマー回路を設け、可動スイッチ５６が投入された後は、このタイマー回路によりボタン電池５５の無用な電力消費を抑制することが可能となる。
【００４３】
また、装飾人形としては、歌手等の人間だけでなく動物の形態を模した人形等の態様のものでもよいことは勿論である。
【００４４】
また、上記実施の形態においては、被着部２０を主被着部３０と副被着部４０との分割構造に形成し、これらを合体することで音声発生ボトルキャップとなるように構成できる場合について説明したが、この代わりに、図８に示されるように、一体構造に形成した音声発生ボトルキャップ８０として構成することもできる。なお、この場合には、挿入深さを規定するために、蓋Ｃの浸入量を規定するストッパ機能は、ストッパ部８１を設けることで達成できる。
【００４５】
また、別の一体構造の音声発生ボトルキャップに係る変形例として、図９に示すようなストッパ部９１を備えた音声発生ボトルキャップ９０であってもよい。この変形例のストッパ部９１の略中心部位に案内孔９２を設け、可動ストッパ５６を案内孔９２に貫通させて上下移動（進退移動）を可能とする構造である。係る変形例によれば、上記実施の形態と略同様に、可動スイッチ５６の損傷を回避できる等の作用効果を有する。
【図面の簡単な説明】
【００４６】
【図１】本考案の実施の形態に係る音声発生ボトルキャップの外観斜視図である。
【図２】上記音声発生ボトルキャップにおける主被着部と副被着部とを分解した状態を示す断面図である。
【図３】上記副被着部に係り、（ａ）は平面図、（ｂ）は（ａ）のｂ−ｂ線における矢視断面図、（ｃ）は（ａ）の外観側面図である。
【図４】上記主被着部と副被着部とが合体した状態における縦断面図である。
【図５】音声発生手段の回路図である。
【図６】上記音声発生ボトルキャップを、ボトルの蓋に被せた状態を示す断面図である。
【図７】ボトルキャップ本体の被着部における変形例を示す外観斜視図である。
【図８】音声発生ボトルキャップの変形例を一部断面で示した断面図である。
【図９】音声発生ボトルキャップの別の変形例を一部断面で示した断面図である。
【符号の説明】
【００４７】
１０  ボトルキャップ本体
２０  被着部
３０  主被着部
３１  天面
３２  小孔
３４  隙間
３５  空洞部
３６  被係合部
４０  副被着部
４１  天面
４２  案内孔
４３  係合部
４４  開口端部（開口部）
５０  音声発生手段
５２  スピーカー
５３  音声発生制御部
５４  固定接点
５６  可動スイッチ
８０  音声発生ボトルキャップ
８１  ストッパ部
９０  音声発生ボトルキャップ
９１  ストッパ部
９２  案内孔
Ｂ  ボトル
Ｃ  蓋
Ｄ  装飾人形
【図１】
0003101920.tif 000003
【図２】
0003101920.tif 000004
【図３】
0003101920.tif 000005
【図４】
0003101920.tif 000006
【図５】
0003101920.tif 000007
【図６】
0003101920.tif 000008
【図７】
0003101920.tif 000009
【図８】
0003101920.tif 000010
【図９】
0003101920.tif 000011